(57)【要約】  股付き衣類の一例としてのショーツ１は、本体部１０と、恥骨近傍を覆う恥骨部２０と、恥骨部２０の上部の中央下端部３０ａから左右斜め上方に下方凸状に形成される上縁端部３０と、恥骨部２０及び上縁端部３０と連結し大転子７３を被覆しつつ本体部１０の背面側に延在する帯状の第１緊締部４０ａと、仙骨から腰椎上のいずれかの位置から左右の大転子近傍に至る部分をカバーする帯状の第２緊締部４０ｂと、大転子７３を覆うように設けられる強緊締部５０と、を備えることを特徴とする。
2011019070.tif 000002
【特許請求の範囲】
【請求項１】
少なくとも着用者の下半身の一部を被覆する股付き衣類であって、
伸縮性を有する本体部と、
恥骨近傍を覆う恥骨部と、
前記恥骨部上部の中央下端部から左右斜め上方に延在する下方凸状に形成され、前記本体部より強い緊締力を有する上縁端部と、
一端は腹筋をサポートするように前記恥骨部及び前記上縁端部と連結し、内腹斜筋のほぼ筋繊維方向に沿って斜め下方に向かい、大転子を被覆しつつ、他端は大殿筋をサポートするように前記本体部の背面側に延在し、前記本体部の緊締力よりも強い緊締力を有する帯状の第１弱緊締部と、
仙骨から腰椎上のいずれかの部分に相当する位置において左右部分が連結しており、前記位置から左右の大殿筋のほぼ筋繊維方向に沿って臀部の膨らみの頂点又はその近傍を通り少なくとも大転子近傍に至る部分をカバーする、前記本体部の緊締力よりも強い緊締力を有する帯状の第２弱緊締部と、
前記大転子を覆うように設けられ、前記第１及び第２弱緊締部の緊締力よりも強い緊締力を有する強緊締部と、
を備えることを特徴とする股付き衣類。
【請求項２】
着用状態において、
前記上縁端部は、当該上縁端部の延在方向に沿って前記恥骨部の方向へ緊締力を発生させ、
前記第１および第２弱緊締部は、歩行時には帯状の長手方向に沿って緊締力を発生させ、
前記強緊締部は、前記大転子をサポートすることにより、着用時に大転子位置で人体と衣類のズレを防止させる
ことを特徴とする請求項１に記載の股付き衣類。
【請求項３】
前記上縁端部が、前記中央下端部から少なくとも上前腸骨棘上またはその上方の位置へ左右斜め上方に向かって延在することを特徴とする請求項１又は２に記載の股付き衣類。
【請求項４】
前記上縁端部が、前記中央下端部から少なくとも腸骨稜の最外部より下方の位置へ左右斜め上方に向かって延在することを特徴とする請求項１又は２に記載の股付き衣類。
【請求項５】
前記上縁端部の中央下端部が、上前腸骨棘と恥骨との中間点から下方に配置されることを特徴とする、請求項１〜４のいずれか１項に記載の股付き衣類。
【請求項６】
前記上縁端部の中央下端部が、恥骨上から上方に配置されることを特徴とする、請求項１〜４のいずれか１項に記載の股付き衣類。
【請求項７】
前記恥骨部の着圧が、最も大きくなることを特徴とする、請求項１〜６のいずれか１項に記載の股付き衣類。
【請求項８】
前記上縁端部の上方に連結され、着用状態においてウエストラインまで被覆する布部を備えることを特徴とする、請求項１〜７のいずれか１項に記載の股付き衣類。
【請求項９】
前記恥骨部は、男性着用者の外陰部の位置に外陰部逃げ部を有し、
前記外陰部逃げ部の着圧は、前記恥骨部の他の部分の着圧より小さい、
ことを特徴とする、請求項１〜６のいずれか１項に記載の股付き衣類。
【請求項１０】
前記恥骨部の前記外陰部逃げ部以外の部分の着圧が、最も大きくなることを特徴とする、請求項９に記載の股付き衣類。
【請求項１１】
前記上縁端部の上方に連結され、着用状態においてウエストラインまで被覆する布部を備えることを特徴とする、請求項９又は１０に記載の股付き衣類。
【発明の詳細な説明】
【技術分野】
【０００１】
本発明は、股付き衣類に関する。
【背景技術】
【０００２】
従来、骨盤や股関節を安定させることで着用者の姿勢を良くしたり、歩きやすくすることが可能なガードル、ショーツ等の股付き衣類がある（例えば特許文献１）。このような股付き衣類では、本体部分より緊締力の強い強緊締力部が、大転子を押さえると共に、大殿筋をサポートすることによって、股関節の可動域を広げて安定した歩行を可能にしている。
【先行技術文献】
【特許文献】
【０００３】
【特許文献１】特許第３８７０２３２号
【発明の概要】
【発明が解決しようとする課題】
【０００４】
ところで、我々は日常生活の中で左右非対称の動きをしなければならないことが多く、また、普段から座って脚を組むなどで骨盤が不安定な状態になってしまうことが多い。このような状態が続くと、筋肉の活動バランスが崩れ身体の左右で不均等となり、その結果、身体の疲労、だるさ、こりなどを引き起こす。そして、このような状態が習慣化することにより、さらに身体がゆがんで悪循環となる。【０００５】
上述した特許文献１などの技術においては、着用者の姿勢や歩き方を改善することは可能なものの、このように身体のゆがみに起因する身体の疲労やだるさを和らげることについては着目されていなかった。【０００６】
また、一般に、身体のゆがみを改善するためには、ゆっくり入浴して疲れを十分にとったり、ストレッチ運動を行うことが望ましいが、時間がかかったり、手間になるため、普段どおりの生活を維持しながら、手軽に身体の疲れ、こりを予防することが望まれている。【０００７】
本発明は、上記の問題を解決するためになされたものであり、着用して普段どおりの生活をしているだけで身体のゆがみを軽減させ、疲労を和らげることが可能な股付き衣類を提供することを目的とする。
【課題を解決するための手段】
【０００８】
上記課題を解決するため、本発明に係る股付き衣類は、少なくとも着用者の下半身の一部を被覆する股付き衣類であって、伸縮性を有する本体部と、恥骨近傍を覆う恥骨部と、恥骨部上部の中央下端部から左右斜め上方に延在する下方凸状に形成され、本体部より強い緊締力を有する上縁端部と、一端は腹筋をサポートするように恥骨部及び上縁端部と連結し、内腹斜筋のほぼ筋繊維方向に沿って斜め下方に向かい、大転子を被覆しつつ、他端は大殿筋をサポートするように本体部の背面側に延在し、本体部の緊締力よりも強い緊締力を有する帯状の第１弱緊締部と、仙骨から腰椎上のいずれかの部分に相当する位置において左右部分が連結しており、前記位置から左右の大殿筋のほぼ筋繊維方向に沿って臀部の膨らみの頂点又はその近傍を通り少なくとも大転子近傍に至る部分をカバーする、本体部の緊締力よりも強い緊締力を有する帯状の第２弱緊締部と、大転子を覆うように設けられ、第１及び第２弱緊締部の緊締力よりも強い緊締力を有する強緊締部と、を備えることを特徴とする。【０００９】
この股付き衣類では、着用状態において、上縁端部は、当該上縁端部の延在方向に沿って恥骨部の方向へ緊締力を発生させ、第１および第２弱緊締部は、歩行時には帯状の長手方向に沿って緊締力を発生させ、強緊締部は、大転子をサポートすることにより、着用時に大転子位置で人体と衣類のズレを防止させる。【００１０】
このような股付き衣類によれば、上縁端部により、着用時に恥骨方向へ緊締力が作用するため、着用者の骨盤が前傾して保持される。さらに、強緊締部により大転子に緊締力が作用するため、大転子位置で人体と衣類のズレが防止される。これらにより、骨盤の前後左右のぶれを防ぎつつ、骨盤を前傾させて安定的な体幹軸をつくることができる。【００１１】
さらに、弱緊締部により、歩行時には帯状の長手方向に沿って腹筋及び大殿筋に対して緊締力が作用するため、骨盤帯の動きに追随したキックバックのよいサポートが行われ、骨盤の位置を体幹の中心へ引き戻すことができる。これにより、骨盤帯の動きを左右のバランスよく誘導することができ、骨盤帯周辺の筋肉がバランスよく使われるようになる。【００１２】
そして、このように着用者の骨盤を前傾状態で保持し、安定的な体幹の軸をつくると共に、骨盤帯の動きを左右バランスよく誘導して、骨盤帯周辺の筋肉をバランスよく使うことができるようになった結果、身体のゆがみが軽減されて身体の左右バランスが改善する。すると、骨盤まわりの筋肉が柔軟になって、股関節の可動域が広がると共に、脚や腰のだるさや疲労の低減につながる。このように本発明によれば、着用して普段どおりの生活をしているだけで身体のゆがみを軽減させ、脚や腰のだるさや疲労を和らげることができる。【００１３】
また、上縁端部が、中央下端部から少なくとも上前腸骨棘上またはその上方の位置へ左右斜め上方に向かって延在することが好適である。同様に、上縁端部が、中央下端部から少なくとも腸骨稜の最外部より下方の位置へ左右斜め上方に向かって延在することが好適である。【００１４】
また、上縁端部の中央下端部が、上前腸骨棘と恥骨との中間点から下方に配置されることが好適である。同様に、上縁端部の中央下端部が、恥骨上から上方に配置されることが好適である。【００１５】
また、恥骨部の着圧が、最も大きくなることが好適である。【００１６】
この構成により、着用時に恥骨方向への緊締力を増大させることができ、骨盤をより一層前傾させる作用が大きくなり、この結果、骨盤帯の前後左右のぶれをより一層防ぐことができ、骨盤を前傾とし、安定性をさらに向上させることができる。【００１７】
また、上縁端部の上方に連結され、着用状態においてウエストラインまで被覆する布部を備えることが好適である。これにより、着用時の被覆範囲をウエストラインまで広げることができるため、着用感とデザイン性を向上させることができる。【００１８】
上記した本発明は、女性用の股付き衣類に適用されるのが好適である。一方、着用者が男性の場合、着用者に対する恥骨部の密着性が外陰部によって低下し、上述した着用時の恥骨方向への緊締力の作用が低減してしまうことがある。また、着用者は、恥骨部によって外陰部を押圧され、外陰部に痛みを感じてしまうことがある。【００１９】
そこで、上記した恥骨部は、男性着用者の外陰部の位置に外陰部逃げ部を有し、外陰部逃げ部の着圧は、恥骨部の他の部分の着圧より小さくてもよい。【００２０】
この構成によれば、着用者が男性であっても、恥骨部の外陰部逃げ部を除く他の部分の着圧を高めることができ、着用時の恥骨方向への緊締力を適切に作用させることができる。したがって、着用者が男性であっても、上述したように、骨盤を前傾させることができ、その結果、骨盤の前後左右のぶれを防ぎつつ、骨盤を前傾させて安定的な体幹軸をつくることができる。また、この構成によれば、恥骨部の外陰部逃げ部による外陰部の押圧を低減することができ、男性着用者の外陰部の痛みを低減することができる。【００２１】
上記した男性用として好適な股付き衣類でも、上記した恥骨部の外陰部逃げ部以外の部分の着圧が、最も大きくなることが好適である。この構成によれば、着用者が男性であっても、上記したように、着用時に恥骨方向への緊締力を増大させることができ、骨盤をより一層前傾させる作用が大きくなり、この結果、骨盤帯の前後左右のぶれをより一層防ぐことができ、骨盤を前傾とし、安定性をさらに向上させることができる。【００２２】
また、上記した男性用として好適な股付き衣類でも、上記した上縁端部の上方に連結され、着用状態においてウエストラインまで被覆する布部を備えることが好適である。これにより、着用者が男性であっても、上記したように、着用感とデザイン性を向上させることができる。
【発明の効果】
【００２３】
本発明に係る股付き衣類によれば、着用して普段どおりの生活をしているだけで身体のゆがみを軽減させ、疲労を和らげることができる。
【図面の簡単な説明】
【００２４】
【図１】本発明の第１の実施形態に係る股付き衣類の一例としての女性用ショーツを前面側から示す斜視図である。
【図２】第１の実施形態に係るショーツを背面側から示す図である。
【図３】人体の骨盤近傍の骨格構造の正面図である。
【図４】第１の実施形態のショーツによる身体の左右バランスの改善を示す図である。
【図５】本発明の第２の実施形態に係る股付き衣類の一例としての男性用下着を前面側から示す斜視図である。
【図６】第２の実施形態に係る男性用下着を背面側から示す図である。
【図７】第２の実施形態の男性用下着における恥骨部を分解して示す図である。
【図８】第１の実施形態に係るショーツの変形例を示す図である。
【図９】第２の実施形態に係る男性用下着の変形例を示す図である。
【図１０】本発明の第１の実施形態の実施例に係るショーツ、及び比較例に係るショーツを前面側から示す斜視図である。
【図１１】図１０に示す実施例のショーツ及び比較例のショーツの機能検証試験の結果を示す図である。
【図１２】本発明の第２の実施形態の実施例に係る男性用下着、及び、比較例に係る男性用下着の機能検証試験の結果を示す図である。
【発明を実施するための形態】
【００２５】
以下、図面を参照しながら本発明の実施形態を詳細に説明する。なお、図面の説明において同一又は同等の要素には同一の符号を付し、重複する説明を省略する。
［第１の実施形態］
【００２６】
図１は、本発明の第１の実施形態に係る股付き衣類の一例としての女性用ショーツを前面側から示す斜視図であり、図２は、第１の実施形態に係るショーツを背面側から示す図である。また、図３は、第１の実施形態のショーツの構成要素の配置を説明するための、人体の骨盤近傍の骨格構造の正面図である。図１及び図２に示すショーツ１は、本体部１０と、恥骨部２０と、上縁端部３０と、弱緊締部４０と、強緊締部５０とを備えている。
【００２７】
本体部１０は、伸縮性を有する生地により構成されており、着用者に対して密着性を有しつつ股部及び臀部を被覆するよう構成されている。本体部１０には、例えばナイロン及びポリウレタンから構成される経編素材（パワーネット）が適用可能である。
【００２８】
恥骨部２０は、着用者の恥骨７１（図３参照）近傍に対応する部分に形成される。恥骨部２０には、骨盤を前傾させる作用を好適に発生させるべく、本体部１０、及び後述する強緊締部５０より緊締力の強い素材（例えば、ナイロン、ポリウレタン混の経編Ｔ／Ｗ素材）の当て布を用いて形成するのが特に好適であるが、本体部１０と同一の素材や非伸縮性素材を適用することも可能であり、恥骨部２０の着圧が、他の部位（本体部１０、上縁端部３０、弱緊締部４０、強緊締部５０）と比較して最も大きくなればよい。恥骨部２０の着圧が最も高くなることにより、恥骨７１近傍を体の内側に押し込むように恥骨部２０が作用し、この結果、骨盤が前傾させる作用が大きくなる。
【００２９】
上縁端部３０は、本体部１０の前面側において、体幹上の中央下端部３０ａを中心として、左右の斜め上方の端部３０ｂ，３０ｃが上前腸骨棘７２（図３参照）を被覆するように、下方凸状に形成される。より詳細には、上縁端部３０は、本体部１０の前方中央領域１０ａでは、中央下端部３０ａを最下点として下方に凸となる円弧状の曲線をとる。そして、側方へ向けて上方に凸となる曲線へと滑らかに移行しながら、ウエストラインと平行になるように徐々に漸近していき、図２に示すように後側ではウエストラインと平行に左右方向に延在する。中央下端部３０ａおよびその周辺部分は、恥骨部２０の上縁端である。
【００３０】
なお、上縁端部３０の中央下端部３０ａは、恥骨７１上から上前腸骨棘７２と恥骨７１との中間点までの間に配置されることが好ましい。すなわち、上縁端部３０の中央下端部３０ａの下限位置は、恥骨７１上であることが好ましく、言い換えると、大転子７３（図３参照）の高さ位置の上下１ｃｍ程度の範囲であることが好ましい。また、上縁端部３０の中央下端部３０ａの上限位置は、上前腸骨棘７２と恥骨７１との中間点、より詳細には、上前腸骨棘７２の高さ位置と恥骨７１の高さ位置（大転子７３の高さ位置）との略中間の高さ位置の上下１ｃｍ程度の範囲であることが好ましい。
【００３１】
また、上縁端部３０の端部３０ｂ，３０ｃは、上前腸骨棘７２から腸骨稜の最外部７４までの間に配置されることが好ましい。すなわち、上縁端部３０の端部３０ｂ，３０ｃの下限位置は上前腸骨棘７２上であり、上限位置は腸骨稜の最外部７４の高さ位置である。そして、上縁端部３０は、着用時に端部３０ｂ，３０ｃが上前腸骨棘７２上に配置されることが特に好ましい。ここで、「腸骨稜の最外部」とは、図３のように骨盤を正面から見たときに、最も左右方向に張り出している腸骨稜の一部分を指すものとする。
【００３２】
つまり、本実施形態における上縁端部３０の取り得る範囲は、図３にハッチングで示す領域７５となる。
【００３３】
また、上縁端部３０は、当該上縁端部の延在方向に沿って前記恥骨部の方向へ緊締力を発生させる。具体的には、上縁端部３０は、着用状態において、図１に示すように恥骨部２０に向けた緊締力Ｆ１を生じることができる。
【００３４】
そして、上縁端部３０は、緊締力が本体部１０のものより強くなるように、本体部１０と同じ素材か、または本体部１０より緊締力の強い素材のテープを用いて、図１などに示すとおり細い帯状に形成されるのが好適である。上縁端部３０の緊締力は、弱緊締部４０のものと同等またはそれ以下であってもよいし、強緊締部５０のものと同等またはそれ以下であってもよいし、または、恥骨部２０に強緊締部５０より緊締力の強い素材が用いられる場合には、恥骨部２０の緊締力と同等またはそれ以下であってもよい。
【００３５】
弱緊締部４０は、その一端４０ｃが腹筋をサポートするように恥骨部２０及び上縁端部３０と連結し、他端は大殿筋をサポートするように背面側に延在するよう形成されており、第１緊締部（第１弱緊締部）４０ａと第２緊締部（第２弱緊締部）４０ｂとから構成されている。ここで、前記腹筋をより詳しく示すと、主に内腹斜筋である。第１緊締部４０ａは、その一端４０ｃが恥骨部２０及び上縁端部３０と連結する。より詳細には、恥骨部２０の左右端の上部から、恥骨部左右端と上縁端部３０との交点に隣接する上縁端部３０の一部分に亘って、第１緊締部４０ａの一端４０ｃが連結されている。そして、第１緊締部４０ａは、一端４０ｃから内腹斜筋のほぼ筋繊維方向に沿って斜め下方に向かい、大転子７３を被覆しつつ、背面側では本体部１０の下縁端に沿って延在し、背面側中央にて左右からの端部が連結する帯状に形成されている。
【００３６】
第２緊締部４０ｂは、その一端が、大転子７３近傍で第1緊締部４０ａの下側の境界線に沿うように、第1緊締部４０ａと重複して連結され、この一端から背面側中央のウエストラインへ向かって斜め上方に延在し、背面側中央にて左右からの端部が連結するよう帯状に形成されている。言い換えると、第２緊締部４０ｂは、仙骨から腰椎上のいずれかの部分に相当する位置において左右部分が連結しており、前記位置から左右の大殿筋のほぼ筋繊維方向に沿って臀部の膨らみの頂点又はその近傍を通り少なくとも大転子近傍に至る部分をカバーする。第1緊締部４０ａ及び第２緊締部４０ｂは、共に着用者の体幹の軸に対して左右対称に形成されている。
【００３７】
弱緊締部４０は、本体部１０よりも強い緊締力を有するよう構成され、例えば本体部１０と同素材の当て布を用いて形成される。具体的には、着用状態において、第1緊締部４０ａは、一端４０ｃと背面側の他端との間の長手方向に沿って緊締力Ｆ２を生じる。また、第２緊締部４０ｂは、大転子近傍にて第1緊締部４０ａとの連結部と、背面側中央にて左右からの端部が連結する部分との間の長手方向に沿って緊締力Ｆ３を生じる。
【００３８】
なお、第1緊締部４０ａの一端４０ｃが恥骨部２０と結合するときの、第１緊締部４０ａの一端４０ｃの下側境界線と、恥骨部２０の左右端との交点の位置４０ｄは、恥骨７１上であることが好ましく、言い換えると、大転子７３の高さ位置の上下１ｃｍ程度の範囲であることが好ましい。これは、上述した上縁端部３０の中央下端部３０ａの下限位置と同様である。
【００３９】
強緊締部５０は、大転子７３を被覆するように形成され、本体部１０及び弱緊締部４０よりも強い緊締力を有するよう構成される。具体的には、強緊締部５０は、第1緊締部４０ａ及び第２緊締部４０ｂが重複する部分であり、図１及び図２においてハッチングを施した菱形状の部分である。第1緊締部４０ａ及び第２緊締部４０ｂが当て布を用いて形成される場合には、二重に当て布が用いられることにより、本体部１０及び弱緊締部４０よりも強い緊締力を有するよう構成される。
【００４０】
そして、強緊締部５０は、このように弱緊締部４０よりも強い緊締力によって大転子をサポートすることにより、着用時に大転子位置で人体と衣類のズレを防止させることができる。
【００４１】
なお、強緊締部５０は、大転子７３を覆う部分であり、個人差、可動領域を考慮すると、標準的な体型の大転子位置を中心に上下方向に８〜１０ｃｍ程度、前後方向に１５〜２０ｃｍ程度の領域を被覆するのが好ましい。したがって、強緊締部５０の最下点は、標準的な体型で、大転子７３の位置から４〜５ｃｍ程度下となるのが好ましい。
【００４２】
このように構成されたショーツ１では、着用時に、上縁端部３０によりこの上縁端部３０の延在方向に沿って恥骨部２０に向けた緊締力Ｆ１が発生する。この緊締力Ｆ１により、骨盤が前傾した状態で安定するようになる。この結果、骨盤帯に安定的な体幹の軸をつくることができる。
【００４３】
さらに、恥骨部２０の着圧が最も大きくなることにより、骨盤の前傾状態がより一層安定し、より安定的な骨盤帯の軸をつくることができる。
【００４４】
また、強緊締部５０が、第１緊締部４０ａより大きい緊締力で大転子を被覆することにより、着用時に大転子位置で人体と衣類のズレを防止させることができる。
【００４５】
ところで、骨盤は、本来横から見ると若干前に倒れたような状態となるが、日常生活で変な歩き方をするなど余計な負荷をかけると、徐々に直立してくる。骨盤の前傾量が少なくなると、体幹の軸が安定せず、動作のバランスが悪くなる。
【００４６】
本実施形態のショーツ１によれば、このような状態を考慮して、骨盤上部から恥骨７１に向けた緊締力Ｆ１を与えることにより、着用者の骨盤を前傾状態で保持し、安定的な体幹の軸をつくることができるようになる。
【００４７】
また、上記のように構成されたショーツ１では、弱緊締部４０を構成する第1緊締部４０ａ及び第２緊締部４０ｂの長手方向の緊締力Ｆ２，Ｆ３により、歩行時に骨盤帯の動きに追随したキックバックのよいサポートを行い、骨盤の位置を体幹の中心へ引き戻すことができる。この結果、骨盤の動きを左右のバランスよく誘導することができ、骨盤帯周辺の筋肉がバランスよく使われるようになる。
【００４８】
このように、本実施形態のショーツ１によれば、着用者の骨盤を前傾状態で保持し、安定的な体幹の軸をつくると共に、骨盤帯の動きを左右バランスよく誘導して、骨盤帯周辺の筋肉をバランスよく使うことができるようになる。この結果、身体のゆがみが軽減されて身体の左右バランスが改善し、骨盤まわりの筋肉が柔軟になって股関節の可動域が広がり、脚や腰のだるさや疲労を和らげることができる。
【００４９】
図４は、第１の実施形態のショーツ１による身体の左右バランスの改善を示す図である。図４（ａ）と図４（ｂ）は、同一人物であり、別日ではあるが、同一時刻に計測を行っている。図４（ａ）は、比較例としての他のショーツを６時間着用した後に計測用ショーツを着用した際の股関節の可動域の左右差を示す図であり、図４（ｂ）は、本実施形態のショーツ１を６時間着用した後に計測用ショーツを着用した際の股関節の内旋可動域の左右差を示す図である。図４（ｃ）は、図４（ａ）及び図４（ｂ）における股関節の内旋可動域の左右差の相違を示す図である。図４（ｃ）に示すように、本実施形態のショーツ１を着用することにより、股関節の内旋角度の左右差が軽減され、身体の左右バランスが改善されていることがわかる。
【００５０】
上述した第１の実施形態のショーツ１は、女性用の股付き衣類に適用されるのが好適である。一方、着用者が男性の場合、着用者に対する恥骨部２０の密着性が外陰部によって低下し、上述した着用時の恥骨方向への緊締力Ｆ１の作用が低減してしまうことがある。また、着用者は、恥骨部２０によって外陰部を押圧され、外陰部に痛みを感じてしまうことがある。そこで、本願発明者らは、上記問題点を改善可能な男性用下着を考案する。
［第２の実施形態］
【００５１】
図５は、本発明の第２の実施形態に係る股付き衣類の一例としての男性用下着を前面側から示す斜視図であり、図６は、第２の実施形態に係る男性用下着を背面側から示す図である。図５及び図６に示す男性用下着１Ａは、女性用ショーツ１において本体部１０及び恥骨部２０に代えて本体部１０Ａ、恥骨部２０Ａを備える構成で第１の実施形態と異なっている。
【００５２】
本体部１０Ａは、上述した本体部１０と同様に、伸縮性を有する生地により構成されており、着用者に対して密着性を有しつつ股部及び臀部を被覆するよう構成されている。本体部１０Ａには、例えば綿及びポリウレタンから構成される天竺素材が適用可能である。
【００５３】
恥骨部２０Ａは、着用者の恥骨７１（図３参照）近傍に対応する部分及び股部に形成される。恥骨部２０Ａは、男性着用者の外陰部の位置に外陰部逃げ部２０ａを有し、外陰部逃げ部２０ａの着圧は、恥骨部２０ａの他の部分２０ｂの着圧より小さい。このようにして、恥骨部２０Ａは、外陰部逃げ部２０ａを除く他の部分２０ｂによって骨盤を前傾させる作用を好適に発生させるべく形成されている。
【００５４】
図７は、恥骨部２０Ａを詳細に説明するために、恥骨部２０Ａを分解して示す図である。図７に示すように、恥骨部２０Ａは、表生地２０ｃ、裏生地２０ｄ、及び、表生地２０ｃと裏生地２０ｄとの間に内蔵された内蔵部材２０ｅから構成される。表生地２０ｃ及び裏生地２０ｄには、例えば、本体部１０Ａと同一の素材が適用されればよい。
【００５５】
一方、内蔵部材２０ｅは、着用時において、男性の外陰部（すなわち外性器。特に陰茎及び睾丸。）に対応する部分がくり抜かれた形状をなしている。本実施形態では、内蔵部材２０ｅは、楕円状にくり抜かれた形状をなすために、略逆Ｕ字状のパターン形状をなしている。また、内蔵部材２０ｅは、陰茎の先端（亀頭）の下方においてくり抜き幅が狭くなるようにひょうたん状にくり抜かれた形状をなしており、ひょうたん状の下側部分の左右が縫着され、楕円状のくり抜き部分をなす。このくり抜き部分が、恥骨部２０Ａの外陰部逃げ部２０ａに対応する。
【００５６】
内蔵部材２０ｅには、上述したように骨盤を前傾させる作用を好適に発生させるべく、本体部１０Ａ、及び強緊締部５０より緊締力の強い素材（例えば、ナイロン、ポリウレタン混の経編Ｔ／Ｗパワーネット素材）を適用するのが特に好適であるが、本体部１０Ａと同一の素材や非伸縮性素材を適用することも可能であり、恥骨部２０Ａの外陰部逃げ部２０ａ以外の部分２０ｂの着圧が、他の部位（本体部１０Ａ、上縁端部３０、弱緊締部４０、強緊締部５０）と比較して最も大きくなればよい。恥骨部２０Ａの外陰部逃げ部２０ａ以外の部分２０ｂの着圧が最も高くなることにより、恥骨７１近傍を体の内側に押し込むように恥骨部２０Ａが作用し、この結果、骨盤が前傾させる作用が大きくなる。
【００５７】
そして、第２の実施形態の男性用下着１Ａは、第１の実施形態のショーツ１と同様に、上縁端部３０、弱緊締部４０（第１緊締部４０ａ及び第２緊締部４０ｂ）、及び、強緊締部５０を備えている。
【００５８】
なお、第１の実施形態の女性用ショーツ１では、前側において、上縁端部３０が、中央下端部３０ａから側方上方へ向けて曲線をなし、ウエストラインと平行になるように徐々に漸近する一例を示したが、男性用下着では直線的なデザインが好まれる。これより、第２の実施形態の男性用下着１Ａでは、前側において、上縁端部３０は、中央下端部３０ａから側方上方へ向けて略直線状に延在する略Ｖ字状をなしていてもよい。
【００５９】
また、第１の実施形態の女性用ショーツ１では、上縁端部３０の中央下端部３０ａの位置、及び、第１緊締部４０ａの一端４０ｃの下側境界線と恥骨部２０の左右端との交点の位置４０ｄが、上縁端部３０の中央下端部３０ａの下限位置である一例を示したが、男性用下着では、外陰部にあたらないように、上縁端部３０の中央下端部３０ａの位置は、上縁端部３０の中央下端部３０ａの上記した上限位置寄りであることが好ましい。
【００６０】
この第２の実施形態の男性用下着１Ａによれば、着用者が男性であっても、恥骨部２０Ａの外陰部逃げ部２０ａを除く他の部分２０ｂの着圧を高めることができ、着用時の恥骨方向への緊締力Ｆ１を適切に作用させることができる。したがって、着用者が男性であっても、上述したように、骨盤を前傾させることができ、その結果、骨盤の前後左右のぶれを防ぎつつ、骨盤を前傾させて安定的な体幹軸をつくることができる。
【００６１】
したがって、第２の実施形態の男性用下着１Ａでも、第１の実施形態のショーツ１と同様の利点を得ることができる。
【００６２】
また、第２の実施形態の男性用下着１Ａによれば、恥骨部２０Ａの外陰部逃げ部２０ａによる外陰部の押圧を低減することができ、男性着用者の外陰部の痛みを低減することができる。
【００６３】
以上、本発明に係る股付き衣類について女性用ショーツ１及び男性用下着１Ａを一例として好適な実施形態を挙げて説明したが、本発明は上記実施形態に限られるものではない。例えば、ショーツ１は、図８に示すように、上縁端部３０のさらに上方にウエストラインまで被覆する布部６０を備えて構成してもよい。同様に、男性用下着１Ａも、図９に示すように、上縁端部３０のさらに上方にウエストラインまで被覆する布部６０を備えて構成してもよい。この布部６０は、本体部１０，１０Ａと同様の素材を適用することができる。これにより、着用時の被覆範囲をウエストラインまで広げることができるため、ショーツ１や男性用下着１Ａの着用感とデザイン性を向上させることができる。
【００６４】
また、本体部１０，１０Ａの素材としては、本実施形態に限定されることなく、パワーネットやレースのような経編素材、天竺のような緯編素材、丸編（成型編）素材など女性用ショーツや男性用下着の素材として用いられる様々な素材が適用可能である。
【００６５】
また、弱緊締部４０、強緊締部５０、及び恥骨部２０の本体部１０への取り付け方法は、縫着でもよく、貼り付けでもよい。また、弱緊締部４０、強緊締部５０、及び恥骨部２０は、本体部１０に接ぎ合わされて形成されてもよいし、編み方を変更して緊締力の強い部位としてもよい。また、ウレタン樹脂を塗布（プリント等）したり、オパール加工することによって、弱緊締部４０、強緊締部５０、及び恥骨部２０を本体部１０と一体的に形成してもよい。
【００６６】
また、第２の実施形態では、恥骨部２０Ａの形成方法として表生地２０ｃと裏生地２０ｄとの間に内臓部材２０ｅを内臓する三層構造を例示したが、恥骨部２０Ａも、上述した恥骨部２０の形成方法と同様に、部材２０ｅを本体部１０Ａに縫着したり、貼り付けたり、接ぎ合わせたりしてもよい。また、恥骨部２０Ａは、上述した恥骨部２０の形成方法と同様に、本体部１０Ａを形成する際に編み方を変更して形成してもよいし、ウレタン樹脂を塗布（プリント等）したり、オパール加工したりして形成してもよい。
【００６７】
さらに、上縁端部３０は、テープやストレッチレースを本体部１０（本体部１０Ａ）に縫着または貼り付けたり、折り返し始末、下腹部被服布と本体部１０（本体部１０Ａ）の接ぎ線などにより、本体部１０（本体部１０Ａ）より強い緊締力となるよう形成してもよいし、編み方を変更したり、ウレタン樹脂を塗布（プリント等）したり、オパール加工することなどによって、本体部１０（本体部１０Ａ）と一体的に形成しつつ、本体部１０（本体部１０Ａ）より強い緊締力となるよう形成してもよい。
【実施例】
【００６８】
以下、実施例を挙げて本発明についてより具体的に説明する。ただし、本発明は以下の実施例に限定されるものではない。なお、上記実施形態の女性用ショーツ１及び男性用下着１Ａと同一の説明は省略する。【００６９】
まず、本発明の第１の実施形態の実施例１〜３に係るショーツ１０１，１０２，１０３、比較例１〜４に係るショーツ１０４，１０５，１０６，１０７について、機能検証試験を実施した。図１０は、本発明の第１の実施形態の実施例に係るショーツ、及び比較例に係るショーツを前面側から示す斜視図である。【００７０】
図１０（ａ）に示す実施例１は、中央下端部３１ａが上前腸骨棘７２及び恥骨７１の略中間（上述の上限位置）に位置し、この中央下端部３１ａを中心として左右の上前腸骨棘７２上を通る下方凸状に形成される上縁端部３１と、本体部１０と同一の素材が適用される恥骨部２１とを備えるショーツ１０１である。図１０（ｂ）に示す実施例２は、中央下端部３２ａが恥骨７１上（上述の下限位置）に位置し、この中央下端部３２ａを中心として左右の上前腸骨棘７２上を通る下方凸状に形成される上縁端部３２と、本体部１０や強緊締部５０より着圧が高い恥骨部２２を備えるショーツ１０２である。図１０（ｃ）に示す実施例３は、中央下端部３１ａが上前腸骨棘７２及び恥骨７１の略中間（上述の上限位置）に位置し、この中央下端部３１ａを中心として左右の上前腸骨棘７２上を通る下方凸状に形成される（すなわち実施例１と同様の形状をとる）上縁端部３１と、本体部１０や強緊締部５０より着圧が高い恥骨部２３を備えるショーツ１０３である。【００７１】
図１０（ｄ）に示す比較例１は、上縁端部３３の中央下端部３３ａが上述の上限位置より上方であり、ウエストラインより下方に位置し、強緊締部５０より着圧が高い恥骨部２４を備えるショーツ１０４である。図１０（ｅ）に示す比較例２は、上縁端部３４の中央下端部３４ａがウエストライン上に位置し、強緊締部５０より着圧が高い恥骨部２５を備えるショーツ１０５である。図１０（ｆ）に示す比較例３は、上縁端部３１の中央下端部３１ａが上前腸骨棘７２及び恥骨７１の略中間（上述の上限位置）に（すなわち実施例１，３と同様に）位置し、強緊締部５０より着圧が高い（実施例３と同様の形状及び機能を有する）恥骨部２３を備え、弱緊締部４０及び強緊締部５０を備えていないショーツ１０６である。図１０（ｇ）に示す比較例４は、上縁端部３０、弱緊締部４０及び強緊締部５０を備えておらず、さらに恥骨部２６に当て布を用いず本体部１０と同一の素材を適用するショーツ１０７である。【００７２】
そして、本発明の実施例１〜３に係るショーツ１０１，１０２，１０３、及び比較例１〜４に係るショーツ１０４，１０５，１０６，１０７について、機能検証試験を実施した。計測装置として、ＶＩＣＯＮ社製、光学反射式モーションキャプチャーシステムを用いて、ショーツの着用者の歩行時の姿勢を計測する機能検証試験を実施した。この機能検証試験では、ショーツの着用者が時速３．８ｋｍで歩行し、着用者の９０秒間の歩行後、計測を開始し、１２秒間の歩行後、計測を終了した。【００７３】
機能検証試験では、胸骨柄、剣状突起、第７頚椎、第１０胸椎の各近傍に、計測装置によって検出されるマーカーを取り付けて、体節セグメントとし、左前腸骨棘、右前腸骨棘、左後腸骨棘、右後腸骨棘の各近傍にマーカーを取り付けて、骨盤セグメントとした。【００７４】
そして、体節セグメントと骨盤セグメントとの相対関係から、着用者の体幹を軸として回る動作である回旋の可動域（range）及び左右差（difference）（基準位置からの左方向への回転角度と、基準位置から右方向への回転角度との差）、ならびに着用者の側屈の範囲及び左右差について、それぞれ可動域及び左右差を算出した。左右差は可動域に対する左右差の割合（％）とした。回旋の可動域は大きいほど正しい歩行姿勢であることを示し、回旋の左右差、側屈の範囲及び左右差は、それぞれ０に近いほど、正しい歩行姿勢であることを示している。なお、上記「セグメント」とは、マーカーが取り付けられた４点の位置に基づく動作単位であり、例えば、マーカーが取り付けられた４点の中点の相関関係に基づいて、回旋の可動域及び左右差、ならびに側屈の範囲及び左右差を算出してもよい。【００７５】
ここで、骨格がゆがんでいる着用者の場合、歩行時に左右のどちらかに傾いている状態が標準とみなせるため、側屈動作の範囲（振幅）が小さくなれば、ゆがみが軽減されていると評価することができる。【００７６】
機能検証試験では、５名の着用者Ａ〜Ｅについて、本発明に係るショーツ（実施例１〜３）を着用した場合と、比較例１〜４を着用した場合との比較を行なった。【００７７】
図１１は、機能検証試験の結果を示す図である。図１１では、実施例１〜３及び比較例１〜３の測定結果のそれぞれについて、比較例４のものより改善された（すなわち回旋の可動域は大きくなり、回旋の左右差、側屈の範囲及び左右差は小さくなる）場合に○を明記している。そして、実施例１〜３及び比較例１〜３のそれぞれについて、計測結果が比較例４に比べて改善された着用者Ａ〜Ｅの人数を「人数カウント」欄に示している。【００７８】
実施例１〜３では、比較例と比べて回旋の可動域及び左右差が共に改善されており、特に回旋の左右差の改善効果が大きい。また、実施例１〜３の回旋の左右差と可動域に注目すると、実施例２が最も改善されていることがわかる。【００７９】
また、実施例１では、恥骨部２１自体の緊締力が小さく、上縁端部３１により恥骨に力（着圧）が集中するので、回旋の左右差が小さくなっていると考えられる。実施例２では、恥骨部２２の着圧が大きくなるので、回旋の可動域が大きくなっていると考えられる。実施例３では、実施例２に比べて恥骨部２３の面積が大きく、着圧が分散するので、回旋の可動域の評価は低下する。しかし、実施例１では恥骨部２１が本体部１０と同一素材であり当て布を用いておらず、また実施例２では恥骨部２０の面積が小さいため、共に陰毛が見えてしまいデザイン的に好ましくないことから、実施例３程度の位置まで恥骨部２３を設け、また当て布を用いて恥骨部近傍を見えにくくすることにより、機能とデザイン性のバランスをとることができる。【００８０】
図１１に示すように、実施例１〜３では回旋の左右差が改善されたことから、身体のゆがみが軽減されて身体の左右バランスが改善されたことが確認された。また、実施例１〜３では回旋の可動域も改善されたことから、身体のゆがみが軽減されて股関節の可動域が広がったことが示された。【００８１】
すなわち、本発明の第１の実施形態に係る股付き衣類によれば、着用して普段どおりの生活をしているだけで身体のゆがみを軽減させ、疲労を和らげることができることが確認された。【００８２】
次に、本発明の第２の実施形態の実施例１１，１２に係る男性用下着、比較例１１〜１３に係る男性用下着について、機能検証試験を実施した。【００８３】
実施例１１は、図５及び図６に示す第２の実施形態の男性用下着１Ａであって、本体部１０Ａ、恥骨部２０Ａ、上縁端部３０、弱緊締部４０（第１緊締部４０ａ及び第２緊締部４０ｂ）、及び、強緊締部５０を備える。すなわち、実施例１１では、恥骨部２０Ａは、男性着用者の外陰部の位置に着圧が低い外陰部逃げ部２０ａを有し、外陰部逃げ部２０ａ以外の部分２０ｂの着圧は、本体部１０Ａや強緊締部５０より高い。また、実施例１１では、図１０（ｃ）に示す実施例３の女性用ショーツ１０３のように、上縁端部３０の中央下端部３０ａが上前腸骨棘７２及び恥骨７１の略中間（上述の上限位置）に位置し、この中央下端部３０ａを中心として左右の上前腸骨棘７２上を通る下方凸状に上縁端部３０が形成される。【００８４】
実施例１２は、実施例１１において上縁端部３０が異なる。すなわち、実施例１２では、図１０（ｂ）に示す実施例２の女性用ショーツ１０２のように、上縁端部３０の中央下端部３０ａが恥骨７１上（上述の下限位置）に位置し、この中央下端部３０ａを中心として左右の上前腸骨棘７２上を通る下方凸状に上縁端部３０が形成される。【００８５】
比較例１１は、実施例１１において恥骨部２０Ａが異なる。すなわち、比較例１１では、恥骨部２０Ａは外陰部逃げ部２０ａを有しておらず、恥骨部２０Ａ全体の着圧が本体部１０Ａや強緊締部５０より高い。【００８６】
比較例１２は、実施例１１において上縁端部３０が異なる。すなわち、比較例１２では、図１０（ｄ）に示す比較例１の女性用ショーツ１０４のように、上縁端部３０の中央下端部３０ａが上述の上限位置より上方であり、ウエストラインより下方に位置する。【００８７】
比較例１３は、図１０（ｇ）に示す比較例４の女性用ショーツ１０７のように、実施例１１において、上縁端部３０、弱緊締部４０（第１緊締部４０ａ及び第２緊締部４０ｂ）、及び、強緊締部５０を備えておらず、恥骨部２０Ａが外陰部逃げ部２０ａを有しておらず、恥骨部２０Ａ全体に本体部１０と同一の素材を適用する。【００８８】
本機能検証試験では、着用者が約６時間着用状態で日常生活を過ごした後に、着用者の足圧の左右差を計測した。そして、本機能検証試験では、５名の着用者Ｆ〜Ｊについて、本発明に係る男性用下着（実施例１１，１２）を着用した場合と、比較例１１〜１３を着用した場合との比較を行なった。【００８９】
図１２は、この機能検証試験の結果を示す図である。図１２では、実施例１１，１２及び比較例１１，１２の測定結果のそれぞれについて、比較例１３のものより改善された（すなわち、足圧左右差が小さくなる）場合に○を明記している。そして、実施例１１，１２及び比較例１１，１２のそれぞれについて、計測結果が比較例１３に比べて改善された着用者Ｆ〜Ｊの人数を「人数カウント」欄に示している。【００９０】
なお、本機能検証試験では、改善効果があった着用者が３人以上である場合に、改善効果があると評価するものとする。【００９１】
図１２によれば、比較例１３と比べて実施例１１及び比較例１１において足圧左右差の改善効果があることがわかる。特に、実施例１１において足圧左右差が最も改善されていることがわかる。以下では、これらの結果を検証する。【００９２】
比較例１１では、恥骨部２０Ａが外陰部逃げ部２０ａを有していないため、着用者に対する恥骨部の着圧が外陰部によって低下し、上述した着用時の恥骨方向への緊締力Ｆ１の作用が低減したものと考えられる。一方、実施例１１では、恥骨部２０Ａの外陰部逃げ部２０ａを除く他の部分２０ｂの着圧を高めることができ、着用時の恥骨方向への緊締力Ｆ１を適切に作用させることができたものと考えられる。【００９３】
また、比較例１２では、上縁端部３０の中央下端部３０ａが上述の上限位置より高いため、上述した着用時の恥骨方向への緊締力Ｆ１の作用が低減し、骨盤を前傾させて安定的な体幹軸をつくることができなかったものと考えられる。一方、実施例１１では、上縁端部３０の中央下端部３０ａが上述の上限位置に位置するので、着用時の恥骨方向への緊締力Ｆ１を適切に作用させることができ、骨盤を前傾させて安定的な体幹軸をつくることができたものと考えられる。【００９４】
ここで、上述したように、女性用ショーツの場合には、実施例２、すなわち、上縁端部３０の中央下端部３０ａが下限位置に近いほど改善効果が大きかったが、男性用下着の場合、上縁端部３０の中央下端部３０ａが下限位置である実施例１２より、上縁端部３０の中央下端部３０ａが上限位置である実施例１１の方が改善効果が大きかった。これは、実施例１２では、上縁端部３０の中央下端部３０ａが低いため、人によっては上縁端部３０の中央下端部３０ａが外陰部にあたって、着用者に対する上縁端部３０の中央下端部３０ａの密着性が外陰部によって低下し、上述した着用時の恥骨方向への緊締力Ｆ１の作用が低減することがあるものと考えられる。換言すれば、男性用下着の場合には、上縁端部３０の中央下端部３０ａが上限位置に位置することが好ましいものと考えられる。【００９５】
このように、実施例１１では足圧の左右差が改善されたことから、着用者が男性であっても、身体のゆがみが軽減されて身体の左右バランスが改善されたことが確認された。また、実施例１１では回旋の可動域も改善されたことから、身体のゆがみが軽減されて股関節の可動域が広がったことが示された。【００９６】
すなわち、本発明の第２の実施形態に係る股付き衣類によれば、着用者が男性であっても、着用して普段どおりの生活をしているだけで身体のゆがみを軽減させ、疲労を和らげることができることが期待できる。
【産業上の利用可能性】
【００９７】
着用して普段どおりの生活をしているだけで身体のゆがみを軽減させ、疲労を和らげることを可能にする用途に適用することができる。
【符号の説明】
【００９８】
１，１Ａ  ショーツ（股付き衣類）
１０，１０Ａ  本体部
２０，２０Ａ  恥骨部
２０ａ  外陰部逃げ部
２０ｂ  外陰部逃げ部以外の他の部分
３０  上縁端部
３０ａ  中央下端部
４０  弱緊締部
４０ａ  第１緊締部（第１弱緊締部）
４０ｂ  第２緊締部（第２弱緊締部）
５０  強緊締部
６０  布部
７１  恥骨
７２  上前腸骨棘
７３  大転子
７４  腸骨稜の最外部
【図１】
2011019070.tif 000003
【図２】
2011019070.tif 000004
【図３】
2011019070.tif 000005
【図４】
2011019070.tif 000006
【図５】
2011019070.tif 000007
【図６】
2011019070.tif 000008
【図７】
2011019070.tif 000009
【図８】
2011019070.tif 000010
【図９】
2011019070.tif 000011
【図１０】
2011019070.tif 000012
【図１１】
2011019070.tif 000013
【図１２】
2011019070.tif 000014
【国際調査報告】
2011019070.tif 000015
2011019070.tif 000016
2011019070.tif 000017
2011019070.tif 000018